(57)【要約】【課題】電源コードの取り付け性向上により、設置性に優れた洗濯機を提供すること。【解決手段】内部に回転ドラム、水槽、駆動モータ等を設けた筺体２と、筺体２の上部に装着された上部枠体３と、筺体２の下部に装着された下部枠体４と、電源コード８と、電源コード８と一体成形されたコードブッシング９とを備え、筺体２と上部枠体３と下部枠体４で構成される背面部１１と側面部１０の角部に凹部５を形成し、凹部５に形成した斜面部６にコードブッシング９を装着し、コードブッシング９が背面部１１面および側面部１０面から飛び出ないようにしたことにより、洗濯機背面の無駄な空間を無くし、設置性の向上をすることができる。【選択図】図１
2012075503.tif 000002
【特許請求の範囲】
【請求項１】
内部に回転ドラム、水槽、駆動モータ等を設けた筺体と、この筺体の上部に装着された上部枠体と、前記筺体の下部に装着された下部枠体と、電源コードと、前記電源コードと一体成形されたコードブッシングとを備え、前記筺体と前記上部枠体と前記下部枠体とで構成される背面部と側面部の角部に凹部を形成し、前記凹部に形成した斜面部に前記コードブッシングを装着し、前記コードブッシングが前記背面部の面および側面部の面から突出しないように構成した洗濯機。
【発明の詳細な説明】
【技術分野】
【０００１】
本発明は、コードブッシングを設けた電源コードを洗濯機の背面側に取り付ける洗濯機に関するものである。
【背景技術】
【０００２】
従来、この種の洗濯機は、背面側に設けた電源コードの取り付け部を保護する構成が提案されてきた（例えば、特許文献１参照）。
【０００３】
図２（ａ）は、特許文献１に記載された従来の洗濯機の斜視図、（ｂ）は、同洗濯機の電源コード取付部の拡大断面図を示す。
【０００４】
図２（ａ）（ｂ）において、洗濯機本体１の背面１ａに電源コード取付部１ｂを設け、先端に電源プラグ３を有した電源コード４と一体成形されたコードブッシング５を、電源コード取付部１ｂに取り付けている。ここで、コードブッシング５は、寸法Ａだけ背面１ａより突出している。また、電源コード取付部１ｂの下部近傍には、コードブッシング５を保護するために、突起部７が設けられ、この突起部７の突出高さをコードブッシング５の突出寸法Ａと同等以上とする構成となっている。
【先行技術文献】
【特許文献】
【０００５】
【特許文献１】特開平１０−３０９３９６号公報
【発明の概要】
【発明が解決しようとする課題】
【０００６】
しかしながら、前記従来の構成では、洗濯機本体背面に突起部を設けているため、洗濯機本体の背面と設置場所の壁面との間には隙間が空いてしまい、無駄な空間が出来てしまうという課題を有していた。
【０００７】
本発明は、前記従来の課題を解決するもので、複雑な構造にすることなく、洗濯機背面角部の構造を工夫することにより、無駄な空間を無くし、設置性を向上させる洗濯機を提供することを目的としている。
【課題を解決するための手段】
【０００８】
前記従来の課題を解決するために本発明の洗濯機は、内部に回転ドラム、水槽、駆動モータ等を設けた筺体と、この筺体の上部に装着された上部枠体と、前記筺体の下部に装着された下部枠体と、電源コードと、前記電源コードと一体成形されたコードブッシングとを備え、前記筺体と前記上部枠体と前記下部枠体とで構成される背面部と側面部の角部に凹部を形成し、前記凹部に形成した斜面部に前記コードブッシングを装着し、前記コードブッシングが前記背面部の面および側面部の面から突出しないように構成したものである。
【０００９】
これにより、洗濯機本体の背面側および側面側に無駄な空間が無くなり、設置性を向上させることができるとともに、電源コードの破損、断線を防止することができる。
【発明の効果】
【００１０】
本発明の洗濯機は、複雑な構造にすることなく、洗濯機本体の背面側および側面側の無駄な空間を無くし、設置性の向上と電源コードの安全性向上を実現することができる。
【図面の簡単な説明】
【００１１】
【図１】（ａ）本発明の実施に形態における洗濯機の斜視図、（ｂ）同洗濯機の電源コード取付部の拡大断面図
【図２】（ａ）従来の洗濯機の斜視図、（ｂ）同洗濯機の電源コード取付部の拡大断面図
【発明を実施するための形態】
【００１２】
第１の発明は、内部に回転ドラム、水槽、駆動モータ等を設けた筺体と、この筺体の上部に装着された上部枠体と、前記筺体の下部に装着された下部枠体と、電源コードと、前記電源コードと一体成形されたコードブッシングとを備え、前記筺体と前記上部枠体と前記下部枠体とで構成される背面部と側面部の角部に凹部を形成し、前記凹部に形成した斜面部に前記コードブッシングを装着し、前記コードブッシングが前記背面部の面および側面部の面から突出しないように構成したことにより、洗濯機本体の背面側および側面側に無駄な空間が無くなり、設置性を向上させることができるとともに、電源コードの破損、断線を防止することができる。
【００１３】
以下、本発明の実施の形態について、図面を参照しながら説明する。なお、この実施の形態によって本発明が限定されるものではない。
【００１４】
（実施の形態１）
図１（ａ）は、本発明の実施に形態における洗濯機の斜視図、（ｂ）は、同洗濯機の電源コード取付部の拡大断面図を示すものである。
【００１５】
図１（ａ）（ｂ）において、洗濯機本体１の内部には、洗濯動作を行なう回転ドラム（図示せず）、水槽（図示せず）、駆動モータ（図示せず）などが設けられ、洗濯機本体１の外枠を構成する筺体２の上部には上部枠体３が装着され、下部には下部枠体４が装着されている。そして、洗濯機本体１の背面側の左右角部には、上部枠体３、筺体２、下部枠体４に亘って、凹部５が形成されている。
【００１６】
左右いずれかの凹部５には、斜面部６が形成され、斜面部６には電源コード取付部７が設けられており、この電源コード取付部７には、先端に電源プラグ（図示せず）を有する電源コード８と一体成形されたコードブッシング９が取り付けられている。そして、このコードブッシング９は、洗濯機本体１の側面部１０面、および背面部１１面よりも突出しないように構成されている。なお、電源コード８先端の電源プラグは、凹部５に設けたコード掛け部１２に引き回して保持することができるようになっている。
【００１７】
上記の構成により、洗濯機本体１は、背面側、側面側とも設置場所の壁面に沿って置くことができ、電源コード８のコードブッシング９が洗濯機本体１と壁面との間に挟まれることも無い。
【００１８】
なお、上記実施の形態では、洗濯機本体１の背面側の左右角部には、上部枠体３、筺体２、下部枠体４に亘って、凹部５が形成されているとしたが、上部枠体３だけに凹部５を形成しても良く、筺体２だけに、あるいは下部枠体４だけに凹部５を形成しても同様の効果を発揮するものである。
【００１９】
以上のように、本実施の形態においては、洗濯機本体の背面部と側面部の角部に凹部を形成し、凹部に形成した斜面部に電源コードのコードブッシングを装着し、コードブッシングが洗濯機本体の背面部面および側面部面から飛び出ないようにしたことにより、洗濯機本体の背面側および側面側に無駄な空間が無くなり、設置性を向上させることができる
とともに、電源コードの破損、断線を防止することができる。
【産業上の利用可能性】
【００２０】
以上のように、本発明にかかる洗濯機は、設置時に洗濯機周囲に無駄な空間ができることがなく、設置性が向上できるので、その他の電気機器の用途に適用できる。
【符号の説明】
【００２１】
２  筺体
３  上部枠体
４  下部枠体
５  凹部
６  斜面部
８  電源コード
９  コードブッシング
１０  側面部
１１  背面部
【図１】
2012075503.tif 000003
【図２】
2012075503.tif 000004